(57)【要約】【課題】設置スペースが小さく、排出された用紙を取り出しやすい画像形成装置を提供すること。【解決手段】画像形成装置１は、開口部３００と、開口部３００に向かって延びるとともに、画像形成装置１から排出された用紙を載置する排紙トレイ３１０とを備え、開口部３００から用紙を取り出し可能である。排紙トレイ３１０には、可動トレイ３２０が設けられており、可動トレイ３２０は、排紙トレイ３１０上に位置する第１姿勢と、排紙トレイ３１０より上方に位置する第２姿勢との間で姿勢変化可能に構成されている。用紙が載置されている状態で、可動トレイ３２０が第２姿勢に位置すると、用紙を開口部３００側へ移動させることができ、用紙が取り出しやすくなる。【選択図】図３
2010064877.tif 000002
【特許請求の範囲】
【請求項１】
外部へ開口する開口部を備える画像形成装置であって、
画像形成処理に用いられた被記録媒体を排出する排出手段と、
前記開口部に向かって延びるとともに、前記排出手段により排出された被記録媒体を載置する排紙トレイと、
前記排紙トレイ上に位置する第１姿勢と、前記排紙トレイより上方に位置する第２姿勢との間で姿勢変化可能に構成されている可動トレイと、
を備えることを特徴とする画像形成装置。
【請求項２】
前記可動トレイの前記開口部側の端部に連結され、前記可動トレイを前記第１姿勢と前記第２姿勢との間で回動可能に支持する回動軸を備え、
前記回動軸に連結されていない可動トレイの他端部は、前記第１姿勢において前記排出手段よりも下方に位置し、前記第２姿勢において前記排出手段よりも上方に位置することを特徴とする請求項１に記載の画像形成装置。
【請求項３】
前記可動トレイを前記第１姿勢及び前記第２姿勢のいずれに位置させるかを判断する判断手段と、
前記判断手段の判断結果に応じて、前記可動トレイを駆動する駆動手段を備え、
前記判断手段は、前記画像形成処理が終了したことを条件として、前記可動トレイを前記第２姿勢へ位置させると判断することを特徴する請求項１または２に記載の画像形成装置。
【請求項４】
前記判断手段は、前記画像形成処理が開始することを条件として、前記可動トレイを前記第１姿勢へ位置させると判断すること特徴する請求項３に記載の画像形成装置。
【請求項５】
前記被記録媒体のサイズを検出する検出手段を備え、
判断手段は、前記検出手段により前記検出された被記録媒体のサイズが所定のサイズよりも小さい場合、前記可動トレイを前記第２姿勢へ位置させると判断することを特徴とする請求項３または４に記載の画像形成装置。
【発明の詳細な説明】
【技術分野】
【０００１】
本発明は、画像形成装置に関する。
【背景技術】
【０００２】
プリンタや複写機、ファクシミリ等の画像形成装置は、画像形成処理に用いられた被記録媒体を排出する。排出された被記録媒体は、画像形成装置に備えられた排紙トレイ上に積載される。このような画像形成装置の中には、開口部と、その開口部に向かって延びる排紙トレイとが備えられ、開口部から被記録媒体を取り出すことが可能なものが知られている（特許文献１）。
【０００３】
特許文献１に記載された画像形成装置は、排紙トレイを被記録媒体の取り出し位置に向けて回動可能に支持する鉛直軸を備える。この鉛直軸を中心に排紙トレイが回動することにより、排紙トレイの一部が画像形成装置から突出した状態となる。この状態で、排紙トレイに載置された被記録媒体が取り出される。
【特許文献１】特開２００３−５４８２０号公報
【発明の開示】
【発明が解決しようとする課題】
【０００４】
しかしながら、特許文献１に記載された画像形成装置は、回動することにより、排紙トレイの一部が画像形成装置から突出するように構成されているため、排紙トレイを突出させるスペースが必要となる。このため、画像形成装置の設置スペースが大きくなるという問題があった。
【０００５】
本発明は、設置スペースが小さく、排出された被記録媒体を取り出しやすい画像形成装置を提供することを目的とする。
【課題を解決するための手段】
【０００６】
この目的を達成するために、請求項１記載の画像形成装置は、外部へ開口する開口部を備える画像形成装置であって、画像形成処理に用いられた被記録媒体を排出する排出手段と、前記開口部に向かって延びるとともに、前記排出手段により排出された被記録媒体を載置する排紙トレイと、前記排紙トレイ上に位置する第１姿勢と、前記排紙トレイより上方に位置する第２姿勢との間で姿勢変化可能に構成されている可動トレイと、を備えることを特徴とする。
【０００７】
請求項２記載の画像形成装置は、請求項１に記載の画像形成装置において、前記可動トレイの前記開口部側の端部に連結され、前記可動トレイを前記第１姿勢と前記第２姿勢との間で回動可能に支持する回動軸を備え、前記回動軸に連結されていない可動トレイの他端部は、前記第１姿勢において前記排出手段よりも下方に位置し、前記第２姿勢において前記排出手段よりも上方に位置することを特徴とする。
【０００８】
請求項３記載の画像形成装置は、請求項１または２に記載の画像形成装置において、前記可動トレイを前記第１姿勢及び前記第２姿勢のいずれに位置させるかを判断する判断手段と、前記判断手段の判断結果に応じて、前記可動トレイを駆動する駆動手段を備え、前記判断手段は、前記画像形成処理が終了したことを条件として、前記可動トレイを前記第２姿勢へ位置させると判断することを特徴する。
【０００９】
請求項４に記載の画像形成装置は、請求項３に記載の画像形成装置において、前記判断手段は、前記画像形成処理が開始することを条件として、前記可動トレイを前記第１姿勢へ位置させると判断すること特徴する。
【００１０】
請求項５記載の画像形成装置は、請求項３または４に記載画像形成装置において、前記被記録媒体のサイズを検出する検出手段を備え、判断手段は、前記検出手段により前記検出された被記録媒体のサイズが所定のサイズよりも小さい場合、前記可動トレイを前記第２姿勢へ位置させると判断することを特徴とする。
【発明の効果】
【００１１】
請求項１に係る画像形成装置によれば、排紙トレイ上に位置する第１姿勢と、排紙トレイより上方に位置する第２姿勢との間で姿勢変化可能に構成されている可動トレイを備える。従って、可動トレイは、第１姿勢の状態で被記録媒体を載置させることができる。また、可動トレイに被記録媒体が載置されている状態で、第２姿勢に姿勢変化すると、可動トレイに載置されている被記録媒体が持ち上がり、開口部から被記録媒体が見えやすくなるので、用紙の取り忘れを低減することができる。
【００１２】
また、可動トレイが第２姿勢に姿勢変化すると、可動トレイに載置されていた被記録媒体が可動トレイよりも下方に位置する排紙トレイ側へ移動する。排紙トレイは開口部に向かって延びるように備えられているので、被記録媒体は開口部側へ移動することになる。従って、被記録媒体を開口部から取り出しやすくなる。
【００１３】
請求項２に係る画像形成装置によれば、回動軸に連結されていない可動トレイの端部は、第１姿勢において排出手段よりも下方に位置し、第２姿勢において排出手段よりも上方に位置する。可動トレイは、第１姿勢において排出手段によって被記録媒体が排出された場合でも、排出された被記録媒体が可動トレイに突き当たって詰まることがない。また、可動トレイは、第２姿勢において排紙トレイに対して十分に上方に位置する。従って、請求項２の効果に加えて、可動トレイは、第１姿勢において排出手段による被記録媒体の排出を邪魔することなく、被記録媒体を適切に載置することができる。また、第２姿勢において、可動トレイに載置された被記録媒体は開口部側へ確実に移動するので、開口部から被記録媒体を取り出しやすくなる。
【００１４】
請求項３に係る画像形成装置によれば、画像形成処理が終了したことを条件として、可動トレイを第２姿勢へ位置させる。従って、請求項１または２の効果に加えて、画像形成処理の終了後、速やかに被記録媒体を取り出すことができる。
【００１５】
請求項４に係る画像形成装置によれば、画像形成処理が開始することを条件として、可動トレイを第１姿勢へ位置させる。従って、請求項３の効果に加えて、画像形成処理の開始後、可動トレイは必ず排紙トレイ上に位置するので、排出手段は可動トレイによって被記録媒体の排出を邪魔されることなく確実に排紙トレイ上に載置される。
【００１６】
請求項５に係る画像形成装置によれば、排出された被記録媒体のサイズが所定のサイズよりも小さい場合、可動トレイを第２姿勢へ位置させる。例えばハガキなどの小サイズの被記録媒体は、開口部から離れた位置に載置される。この状態で可動トレイを第２姿勢へ位置させると、可動トレイに載置された小サイズの被記録媒体は、開口部側へ移動する。従って、請求項３または４の効果に加えて、小サイズの被記録媒体であっても取り出しは容易になる。
【発明を実施するための最良の形態】
【００１７】
本実施形態は、電子写真方式の画像形成部（レーザプリンタ）１００及び画像読取部（スキャナ）２００を兼ね備える画像形成装置に本発明を適用したものであり、以下に本実施形態を図面を参照して説明する。
【００１８】
１．画像形成装置１の構成
図１は本実施形態に係る画像形成装置１の外観斜視図であり、図２は図１の左側から見た側面断面図である。
【００１９】
図１に示すように、画像形成装置１の下方側には、電子写真方式の画像形成部１００が配置されている。また、画像形成部１００の前方には、フロントカバー１０９が配置されている。
【００２０】
一方、画像形成装置１の上方側には、原稿に記載された画像を読み取る画像読取部２００が配置されている。画像読取部２００は、図示しない読取センサ、原稿給紙トレイ２３０、原稿排紙トレイ２３１、原稿搬送部２４０を備えている。原稿搬送部２４０は、原稿給紙トレイ２３０に載置されている原稿を読取センサに搬送し、読み取られた原稿を原稿排紙トレイ２３１に排出するものである。
【００２１】
また、画像形成部１００と画像読取部２００との間には、開口部３００が配置されている。また、画像形成装置１の本体内部から開口部３００に向けて延びる排紙トレイ３１０が配置されている。排紙トレイ３１０は、画像形成部１００にて画像形成が終了した用紙（被記録媒体の一例）が載置されるものである。
【００２２】
図１に示されるように、開口部３００が画像形成装置１の前方側に設けられている。これにより、例えば開口部３００が画像形成装置１の側面に形成されている場合に比べて、排紙トレイ３１０からの用紙の取り出しは容易である。ただし、開口部３００の位置はこれに限定されるものではない。開口部３００は、画像形成装置１の側面又は背面（後方側）に形成されてもよい。
【００２３】
そして、画像形成部１００と画像読取部２００とは、画像形成部１００と画像読取部２００との間に配設されたジョイント部材４００にて連結されている。以上のように、画像形成装置１は、画像形成部１００と画像読取部２００、及びジョイント部材４００によって空間が形成されており、外部に開口する開口部３００を備える。
【００２４】
また、画像形成装置１の開口部３００側、つまり画像形成装置１の正面の上方側には、画像形成部１００及び画像画像読取部２００等の設定操作を行なうための操作パネル５００が設けられている。
【００２５】
２．画像形成部１００の構成
図２は、図１の画像形成装置１を左側から見た場合の側面断面図である。画像形成部１００は、最下部に設けられた給紙トレイ２１に載置されている用紙を、給紙トレイ２１の上方側に配置されたプロセスカートリッジ８０に搬送して画像を用紙に転写し、この画像が転写された用紙を定着ユニット９０にて加熱してトナーを用紙に定着することにより用紙に画像を形成していく、周知の電子写真方式のプリンタである。
【００２６】
画像形成部１００は、スキャナ部７０、プロセスカートリッジ８０、定着ユニット９０、フィーダ部２０、第１排出シュート３０、第２排出シュート４０、排出ローラ５１及び排出コロ５０から構成されている。そして、これらは骨格部材であるフレーム部材に組み付けられた状態で筐体１０３内に収納されている。
【００２７】
フィーダ部２０は、図２に示すように、筐体１０３の最下部に収納された給紙トレイ２１、給紙トレイ２１の前端部上方に設けられてスキャナ部７０、プロセスカートリッジ８０及び定着ユニット９０に用紙を搬送する給紙ローラ２２、並びに給紙ローラ２２にて搬送される用紙を１枚毎に分離する分離ローラ２３及び分離パッド２４等を有して構成されている。そして、給紙トレイ２１に載置されている用紙は、筐体１０３内前側にてＵターンするようにして、筐体１０３内の略中央部に配設されたスキャナ部７０、プロセスカートリッジ８０及び定着ユニット９０に搬送される。
【００２８】
また、給紙トレイ２１からプロセスカートリッジ８０の入口には、用紙に搬送抵抗を付与して用紙の搬送状態を整える一対のローラからなるレジストローラ２７が配設されている。
【００２９】
スキャナ部７０は、筐体１０３内の上部に設けられて後述する感光ドラム８１の表面に静電潜像を形成するものである。
【００３０】
プロセスカートリッジ８０は、スキャナ部７０の下方側において着脱可能に筐体１０３内に配設されており、感光ドラム８１、帯電器７２、転写ローラ８３及び現像カートリッジ８４等から構成されている。
【００３１】
感光ドラム８１は、用紙に転写される画像を担持するものである。帯電器７２は、感光ドラム８１の表面を帯電させるものである。転写ローラ８３は、感光ドラム８１と対向して配設されて感光ドラム８１の回転と連動して回転し、用紙が感光ドラム８１近傍を通過する際に、感光ドラム８１に帯電した電荷と反対の電荷を印刷面とは反対側から用紙に作用させることにより、感光ドラム８１の表面に付着したトナーを用紙の印刷面に転写させるものである。
【００３２】
現像カートリッジ８４は、トナーを収容し、そのトナーをスキャナ部７０にて露光された感光ドラム８１の表面に供給するものである。定着ユニット９０は、用紙の搬送方向において感光ドラム８１より後流側に配設され、用紙に転写されたトナーを加熱溶融させて定着させるものである。
【００３３】
第１排出シュート３０は、用紙の搬送方向において定着ユニット９０より搬送方向後流側に配設されているとともに、スキャナ部７０、プロセスカートリッジ８０及び定着ユニット９０にて画像形成が終了した用紙の搬送方向を略９０°転向させて用紙を第２排出シュート４０に案内するものである。
【００３４】
また、第２排出シュート４０は、第１排出シュート３０に対して所定の隙間を有して配置され、第１排出シュート３０にて搬送方向が略９０°転向された用紙を更に略９０°転向させて排出ローラ５１及び排出コロ５０に案内するものである。
【００３５】
排出ローラ５１及び排出コロ５０（本発明の排出手段に相当）は、用紙の搬送方向において第２排出シュート４０の下流側に設けられている。搬送路を挟んで排出ローラ５１と対向する位置には、排出ローラ５１に圧接されて排出コロ５０が設けられている。排出ローラ５１及び排出コロ５０は、その間に用紙を挟持し、排出口１０７から排出する。このとき排出ローラ５１がモータによって回転駆動し、排出ローラ５１に対向する排出コロ５０が、排出ローラ５１の回転に従って回転することにより、用紙を開口部３００に向けて排紙トレイ３１０へ排出する。
【００３６】
また、図２から明らかなように、画像形成部１００内を搬送される用紙は、画像形成装置１の前後方向端部にてその搬送方向が上下方向に略１８０°転向するようにして蛇行して搬送される。つまり、用紙は、画像形成部１００において、上方から見て、画像形成装置１の前後方向に搬送されることとなる。
【００３７】
３．排紙トレイ３００の構成
図２において、筐体１０３の上面側には、印刷を終えて筐体１０３から排出される用紙が載置される排紙トレイ３１０が設けられている。排紙トレイ３１０は、その後方側の壁３４０より、開口部３００に向かって延びるように配置されている。そして、この排紙トレイ３１０は、開口部３００に向かって水平方向に延びる水平面と、後方側に向かうほど、水平面から下がるように傾斜した傾斜面とで構成されており、この傾斜面の一部に、可動トレイ３２０が設けられている。
【００３８】
ここで、可動トレイ３２０について図３を参照して説明する。図３（ａ）は、可動トレイ３２０が後述する第１姿勢に位置する場合の排紙トレイ３１０周辺の拡大図であり、図３（ｂ）は、可動トレイが後述する第２姿勢に位置する場合の排紙トレイ３１０周辺の拡大図である。
【００３９】
図３において、可動トレイ３２０は、排紙トレイ３１０の水平面と傾斜面との境界近傍より後方側（排紙ローラ５１側）に備えられており、その前方側（開口部３００側）の端部が、排紙トレイ３１０の下方に設けられた回動軸３３０と連結され、回動可能に支持されている。
【００４０】
なお、可動トレイ３２０の用紙の搬送方向に対する幅は、排紙トレイ３１０の搬送方向に対する幅よりわずかに内側に形成される。また可動トレイの用紙の進行方向の長さは、排紙トレイ３１０の水平面と傾斜面との境界近傍から壁３４０の手前までに形成される。
【００４１】
可動トレイ３２０の前方側の端部は、回動軸３３０の円周の一部を覆うように設けられており、回動軸３３０の周りを摺動することによって可動トレイ３３０を回動させる。
【００４２】
このように、可動トレイ３２０は、回動軸３３０を中心に回動することにより、排紙トレイ３１０上に位置する第１姿勢と、排紙トレイ３１０より上方に位置する第２姿勢とに姿勢変化可能である。
【００４３】
図３（ａ）に示すように、可動トレイ３２０が第１姿勢に位置する場合は、排紙トレイ３１０の傾斜面と同一平面を形成している。従って、第１姿勢においては、排出された用紙が排紙トレイ３１０と可動トレイ３２０との間に挟まることはないので、紙詰まりを防ぐことができる。
【００４４】
また、可動トレイ３２０の後方側の端部は、排紙コロ５０及び排紙ローラ５１よりも下方に位置している。本実施形態では、第１姿勢において用紙が排出される。すると、用紙の自重により用紙の後端が壁３４０に当って、積み重ね方向に揃えられる。
【００４５】
図３（ｂ）に示すように、可動トレイ３２０が第２姿勢に位置する場合は、回動軸３３０に連結されていない可動トレイ３２０の後方側の端部が、少なくとも排紙トレイ３１０の水平面よりも上方に位置している。
【００４６】
本実施形態では、用紙が排紙トレイ３１０に載置されている状態において、可動トレイ３２０が第２姿勢に位置するように回動される。すると、可動トレイに載置されている部分の被記録媒体が持ち上がることにより、開口部から被記録媒体が見えやすくなる。また、可動トレイ３２０上に載置されている用紙が、開口部３００側に向かって排紙トレイ３１０の水平面に移動する。これにより、排紙トレイ３１０の壁３４０に当接して載置されていた用紙が開口部３００側へ押し出されるため、用紙の取り出しが容易になる。
【００４７】
４．可動トレイ３２０の駆動機構
次に、可動トレイ３２０が第１姿勢と第２姿勢との間で回動させるための、可動トレイを駆動する駆動機構（本発明の駆動手段に相当）について、図４及び図５を参照して説明する。図４（ａ）は、可動トレイ３２０が第１姿勢に位置している場合の駆動機構を示す図であり、図４（ｂ）は図４（ａ）のＡ−Ａ断面図である。また、図５（ａ）は、可動トレイ３２０が第２姿勢に位置している場合の駆動機構を示す図であり、図５（ｂ）は図５（ａ）のＢ−Ｂ断面図である。
【００４８】
図４及び５に示すように、駆動機構は、モータ３２２、モータ３２２に駆動連結されたピニオンギヤ３２１、可動トレイ３２０の側面に設けられ、ピニオンギヤ３２１と噛み合うように接しているラックギヤ３２３、ラックギヤ３２３の移動を案内するガイド３２５、及び、モータを駆動する駆動回路３２７（図６）により構成されている。なお、ラックギヤ３２３の端部には長孔３２４が設けられ、長孔２３４には、可動トレイ３２０の後方側の端部に設けられた突起部３２６が係合している。
【００４９】
このような構成において、モータ３２２が回転することでピニオンギヤ３２１が回転し、それに伴って、ラックギヤ３２３がガイド３２５に案内されて移動する。ラックギヤ３２３の端部に設けられた長孔３２４には、可動トレイ３２０に設けられた突起部３２６が係合されているので、ラックギヤ３２３の移動に伴って可動トレイ３２０が排紙トレイ３１０に対し上下方向に移動する。
【００５０】
すなわち、可動トレイ３２０を排紙トレイ３１０に対して突出させたりあるいは格納させたりすることができるようになっている。尚、モータ３２２は正逆回転可能なモータであり、可動トレイ３２０の固定トレイ３１０から突出させる方向への移動や排紙トレイ３１０へ格納させる方向への移動に対応させている。 
【００５１】
また、排紙トレイ３１０の下方には回動軸３３０が設けられており、これを中心に可動トレイ３２０が排紙トレイ３１０に対し第１姿勢と第２姿勢との間で回動可能な構成となっている。すなわち、図４の第１姿勢から図５の第２姿勢に回動する場合は、ピニオンギヤ３２１の回転によりラックギヤ３２４が上方へ移動することによって、可動トレイ３２０が上方へ移動する。また、図５の第２姿勢から図４の第１姿勢に回動する場合は、ピニオンギヤ３２１の回転によりラックギヤ３２４が下方へ移動することによって、可動トレイ３２０が下方へ移動する。
【００５２】
このように、本実施形態の画像形成装置によれば、第２姿勢において可動トレイ３２０が排紙トレイ３１０より上方に位置するので、可動トレイに載置されている被記録媒体が持ち上がることにより、開口部から被記録媒体が見えやすくなる。また、可動トレイ３１０に載置されている用紙が可動トレイ３２０よりも下方に位置する排紙トレイ３１０の水平面へ移動することにより、開口部３００から手を奥まで差し込まなくても用紙を取り出しやすくなる。特に、ハガキなどの小サイズ紙は、開口部３００から離れた位置に載置される。可動トレイ３２０が第２姿勢に位置することにより、可動トレイ３２０に載置されている用紙は、排紙トレイ３１０の水平面へ移動する。したがって、小サイズ紙であっても取り出しは容易になる。
【００５３】
さらに、第１姿勢において、可動トレイ３２０が排紙トレイ３１０上に、同一平面を形成するように位置するので、排出ローラ５１による用紙の排出を可動トレイ３２０が邪魔することなく、用紙を載置することができる。
【００５４】
５．画像形成装置１の電気的構成
以下、画像形成装置１の電気的構成について説明する。図６は、画像形成装置１の電気的構成を示すブロック図である。
【００５５】
制御部６００は、画像形成装置１の全体動作を制御する。制御部６００は、図６に示されるように、ＣＰＵ６０１、ＲＯＭ６０２、ＲＡＭ６０３、ＥＥＰＲＯＭ６０４を主とするマイクロコンピュータとして構成されている。この制御部６００は、バス６０７を介してＡＳＩＣ６０９と接続されている。
【００５６】
ＲＯＭ６０２には、ＣＰＵ６０１が画像形成装置１の各種動作を制御するためのプログラム等が格納されている。本実施形態では、可動トレイ３２０を回動させるためのプログラムも記憶されている。ＲＡＭ６０３は、ＣＰＵ６０１が上記プログラムを実行する際に用いる各種データを一時的に記憶する記憶領域又は作業領域として使用される。ＥＥＰＲＯＭ６０４には、電源オフ後も保持すべき設定やフラグ等が格納される。
【００５７】
ＡＳＩＣ６０９には、画像形成部１００、スキャナ部２００、操作パネル５００、用紙用紙検出部７００（検出手段の一例）、及び駆動回路３２７等が接続されている。
【００５８】
用紙検出部７００は、給紙トレイ２１に備えられており、給紙トレイ２１に収容されている用紙のサイズを検出し、検出結果をＡＳＩＣ６０９に入力する。
【００５９】
駆動回路３２７は、ＡＳＩＣ６０９からの出力信号等に基づいて、モータ３２２を駆動する。モータ３２２の駆動力は、可動トレイ３２０を駆動するため前述の駆動機構を構成するピニオンギヤ３２１に伝達される。
【００６０】
このように、制御部６００はモータ３２２に接続されており、モータ３２２の駆動の制御を行なっている。また、制御部６００は、給紙トレイ２１に備えられている用紙検出部７００とも接続されている。すなわち、用紙検出部７００の検出結果に応じて、制御部６００はモータ３２２を回転させるようになっている。さらに、制御部６００は、印刷の開始と終了に応じて制御部６００を介してモータ３２２を回転させるようになっている。
【００６１】
６．可動トレイ３２０の動作
以下、図７を参照して、可動トレイ３２０を動作させる処理について説明する。図７は、ＣＰＵ６０１により実行される可動トレイ３２０を回動させる処理を示すフローチャートである。本処理は、画像形成装置１に電源が投入されており、印刷開始命令の待ち受け状態のときに繰り返し実行される。
【００６２】
まず、印刷開始か否かを判断する（Ｓ１０）。具体的には、ＰＣで作成された文書データ等の印刷開始命令を受けた場合、または操作パネル５００でコピー等の印刷開始キーが押下された場合は、印刷開始であると判断する。
【００６３】
印刷開始ではないと判断した場合（Ｓ１０：Ｎ）、印刷開始か否かを判断する処理（Ｓ１０）を繰り返す。一方、印刷開始であると判断した場合（Ｓ１０：Ｙ）、可動トレイ３２０を第１姿勢に位置させるように判断する。（Ｓ２０）。
【００６４】
具体的には、ＣＰＩ６０１からの入力信号により、駆動回路３２７からモータへ駆動信号が送出される。モータは、この駆動信号に応じて回転する。このようにして、可動トレイ３２０を第１姿勢に位置させ、排出コロ５０及び排出ローラ５１によって排出された用紙を可動トレイ３２０上に載置可能な状態にしておく。
【００６５】
次に、画像形成部１００による印刷を行なう（Ｓ３０）。印刷については上述したとおりである。
【００６６】
次に、印刷終了であるか否かを判断する（Ｓ４０）。具体的には、１つの印刷開始命令に対する印刷（以下、印刷ジョブと記す）が終了したか否かを判断する。印刷終了ではないと判断した場合（Ｓ４０：Ｎ）、印刷が終了するまで印刷を行なう（Ｓ３０）。
【００６７】
一方、印刷が終了したと判断した場合（Ｓ４０：Ｙ）、次の印刷ジョブがあるか否かを判断する（Ｓ５０）。具体的には、次の印刷ジョブがＲＡＭ６０２に記憶されていたり、印刷終了後、所定時間内に次の印刷開始命令を受けた場合は、次の印刷ジョブがあると判断する。
【００６８】
次の印刷ジョブがあると判断した場合は（Ｓ５０：Ｙ）、続けて印刷を行なう（Ｓ３０）。一方、次の印刷ジョブがないと判断した場合は（Ｓ５０：Ｎ）、小サイズ紙か否かを判断する（Ｓ５０）。ここでは、給紙カセット２１に設けられている用紙検出部７００によって検出された用紙のサイズが所定サイズ以下であるか否かを判断する。所定サイズとは、例えば画像形成装置１が印刷可能な最小の用紙サイズ（はがきサイズ）というように、予め取り決められていてもよいし、ユーザが予め設定したサイズの用紙であってもよい。
【００６９】
小サイズ紙ではないと判断した場合（Ｓ５０：Ｎ）、Ｓ６０の処理をスキップしてＳ１０の処理に戻る。一方、小サイズ紙であると判断した場合（Ｓ５０：Ｙ）、可動トレイ３２０を第２姿勢に位置させるように判断する（Ｓ７０）。このようにして、可動トレイ３２０に載置されている用紙を排紙トレイ３１０へ移動させる。その後、印刷開始か否かを判断する処理に戻る（Ｓ１０）。
【００７０】
本処理によれば、排出された用紙のサイズが所定のサイズよりも小さい場合、可動トレイ３２０を第２姿勢へ位置させる。小サイズ紙の場合、用紙は開口部３００から離れた排出口１０７側に載置され、特に取り出しにくい。しかしながら、用紙検出部７００により小サイズ紙であることを検出すると、可動トレイ３２０が第１姿勢から第２姿勢に移動するので、可動トレイ３２０に載置されている小サイズ紙は、開口部３００側の排紙トレイ３１０に移動する。したがって、小サイズ紙であっても取り出しは容易になる。
【００７１】
また、本処理によれば、印刷が終了したことを条件として、可動トレイ３２０を第２姿勢へ移動させる。従って、印刷の終了後、自動的に用紙が開口部３００側へ移動するので、速やかに用紙を取り出すことができる。
【００７２】
また、本処理によれば、印刷が開始することを条件として、可動トレイ３２０を第１姿勢へ移動させる。従って、印刷の開始後、可動トレイ３２０が第２姿勢に位置することがないので、排出された用紙は可動トレイ３２０に邪魔されることなく適切に載置することができる。
【００７３】
また、本処理によれば、全ての印刷ジョブが終了したことを条件として可動トレイ３２０を第２姿勢へ移動させる。従って、１つの印刷ジョブが終了するたびに可動トレイ３２０を移動させる処理とは異なり、可動トレイ３２０を移動させる回数は最小限に抑え、効率的に用紙を開口部３００側へ移動させることができる。なお、Ｓ１０，Ｓ５０，及びＳ６０は、判断手段の一例である。
【００７４】
（その他の実施形態）
以上、本発明を実施形態に沿って説明したが、これに限定されるものではない。例えば、上述の実施形態では、画像形成部１００は電子写真方式の画像形成装置であったが、インクジェット方式の画像形成装置であってもよい。
【００７５】
また、可動トレイ３２０を動作させる処理において、可動トレイ３２０を回動させる必要がない場合は、回動する処理をスキップしてもよい。例えば、可動トレイ３２０の位置を示すフラグを設ける。そしてフラグに設定された値を基に可動トレイ３２０の位置を判断し、必要に応じて可動トレイを回動させればよい。
【００７６】
具体的には、上記フラグには可動トレイ３２０が第１姿勢に位置している場合は０を、第２姿勢に位置している場合は１を設定する。本処理において、小サイズ紙ではないと判断した場合（Ｓ６０：Ｎ）、第１姿勢を維持するのでフラグは０のままである。次に、印刷開始であると判断された場合（Ｓ１０：Ｙ）、フラグには０が設定されているので、可動トレイ３２０を第１姿勢に移動させるＳ２０の処理は必要ない。この場合は、Ｓ２０をスキップし、印刷を行なう（Ｓ３０）。このようすれば、必要に応じて可動トレイ３２０を回動させることができる。
【図面の簡単な説明】
【００７７】
【図１】画像形成装置１の正面側（前方側）外観斜視図である。
【図２】画像形成装置１を左側から見た側面断面図である。
【図３】（ａ）可動トレイが第１姿勢に位置する場合の排紙トレイ３１０周辺の拡大図である。（ｂ）可動トレイが第２姿勢に位置する場合の排紙トレイ３１０周辺の拡大図である。
【図４】（ａ）可動トレイ３２０が第１姿勢に位置している場合の駆動機構を示す図である。（ｂ）図４（ａ）のＡ−Ａ断面図である。
【図５】（ａ）可動トレイ３２０が第２姿勢に位置している場合の駆動機構を示す図である。（ｂ）は図５（ａ）のＢ−Ｂ断面図である。
【図６】画像形成装置１の電気的構成を示すブロック図である。
【図７】可動トレイ３２０を回動させる処理を示すフローチャートである。
【符号の説明】
【００７８】
５０  排出コロ（排出手段の一部）
５１  排出ローラ（排出手段の一部）
１０７  排出口
３００  開口部
３１０  排紙トレイ
３２０  可動トレイ
３２１  モータ（駆動手段の一部）
３２２  ピニオンギヤ（駆動手段の一部）
３２３  ラックギヤ（駆動手段の一部）
３２４  長孔
３２５  ガイド（駆動手段の一部）
３２６  突起部
３２７  駆動回路（駆動手段の一部）
３３０  回動軸
６００  制御部
６０１  ＣＰＵ
７００  用紙検出部（検出手段の一例）
Ｓ１０  判断手段の一例
Ｓ５０  判断手段の一例
Ｓ６０  判断手段の一例
【図１】
2010064877.tif 000003
【図６】
2010064877.tif 000004
【図７】
2010064877.tif 000005
【図２】
2010064877.tif 000006
【図３】
2010064877.tif 000007
【図４】
2010064877.tif 000008
【図５】
2010064877.tif 000009